【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  車体に固定され、一定の距離を置いて並ぶ２つの透孔を備えた一対の締付け板部を有する固定ブラケットと、前記固定ブラケットの一対の締付け板部の間に配置されるステアリングコラムと、前記ステアリングコラム内に回転自在に設けられたステアリングシャフトと、前記ステアリングコラムに固着され、長孔を備え、前記締付け板部と対向する一対の板部を有する可動ブラケットと、前記固定ブラケットの締付け板部の一方の透孔および前記可動ブラケットの板部の長孔を通して設けられる第１の軸杆部材を介して前記ステアリングコラムを前記固定ブラケットの一対の締付け板部の間に緊締する締付け機構と、前記固定ブラケットの締付け板部の他方の透孔および前記可動ブラケットの板部の長孔を通して設けられた第２の軸杆部材とを備える位置調整式ステアリングコラム装置において、前記第１の軸杆部材および前記第２の軸杆部材が挿通される前記可動ブラケットの長孔が単一空間からなる長孔として構成されることを特徴とする位置調整式ステアリングコラム装置。
【請求項２】  車輛進行方向に一定の距離を置いて並ぶ２つの透孔を備えた一対の締付け板部を有する固定ブラケットと、前記固定ブラケットの一対の締付け板部の間に配置されるステアリングコラムと、前記ステアリングコラム内に回転自在に設けられたステアリングシャフトと、前記ステアリングコラムに固着され、車輛進行方向に延びる長孔を備え、一対の板部を有する可動ブラケットと、前記固定ブラケットの締付け板部の一方の透孔および前記可動ブラケットの板部の長孔を通して設けられる第１の軸杆部材を介して前記ステアリングコラムを前記固定ブラケットの一対の締付け板部の間に緊締する締付け機構と、前記固定ブラケットの締付け板部の他方の透孔および前記可動ブラケットの板部の長孔を通して設けられた第２の軸杆部材とを備える位置調整式ステアリングコラム装置において、前記第１の軸杆部材および前記第２の軸杆部材が挿通される前記可動ブラケットの長孔が単一空間からなる長孔として構成されることを特徴とする位置調整式ステアリングコラム装置。
【請求項３】  前記固定ブラケットの締付け板部の２つの透孔のうち、少なくとも一方は縦方向の長孔であることを特徴とすることを特徴とする請求項１または２記載の位置調整式ステアリングコラム装置。
【請求項４】  前記第２の軸杆部材を介して前記ステアリングコラムを前記固定ブラケットの一対の締付け板部の間に緊締する第２の締付け機構を具備することを特徴とする請求項１、２または３記載の位置調整式ステアリングコラム装置。
【請求項５】  前記２つの締付け機構を同期して動作させる連動機構を備えることを特徴とする請求項４記載の位置調整式ステアリングコラム装置。
【手続補正２】
【補正対象書類名】明細書
【補正対象項目名】００１５
【補正方法】変更
【補正の内容】
【００１５】
【課題を解決するための手段】
本発明は車体に固定され、一定の距離を置いて並ぶ２つの透孔を備えた一対の締付け板部を有する固定ブラケットと、固定ブラケットの一対の締付け板部の間に配置されるステアリングコラムと、ステアリングコラム内に回転自在に設けられたステアリングシャフトと、ステアリングコラムに固着され、長孔を備え、締め付け板部と対向する一対の板部を有する可動ブラケットと、固定ブラケットの締付け板部の一方の透孔および可動ブラケットの板部の長孔を通して設けられる第１の軸杆部材を介してステアリングコラムを固定ブラケットの一対の締付け板部の間に緊締する締付け機構と、固定ブラケットの締付け板部の他方の透孔および可動ブラケットの板部の長孔を通して設けられた第２の軸杆部材とを備える位置調整式ステアリングコラム装置において、第１の軸杆部材および第２の軸杆部材が挿通される前記可動ブラケットの長孔が単一空間からなる長孔として構成される。
【手続補正３】
【補正対象書類名】明細書
【補正対象項目名】００２７
【補正方法】変更
【補正の内容】
【００２７】
可動ブラケット４は、図４（ａ）（ｂ）に示すように、ステアリングコラム１に取付けられるコラム取付け板部１５および左右一対の板部１６ａ、１６ｂを備える。この板部１６ａ、１６ｂは共にコラム取付け板部１５と一体に形成され、鉛直上下方向に延在している。板部１６ａ、１６ｂには一定の距離を置いて配置される２つの軸杆部材を通すための長孔１７が開口している。この長孔１７は単一空間として形成したもので、ステアリングコラム軸心と平行な１つの軸ＡB（図１参照）に沿って開口している。長孔１７は締付け部およびスライド支持部のそれぞれのテレスコピックストロークを与えるのに不足のない長さを有する。
【手続補正４】
【補正対象書類名】明細書
【補正対象項目名】００２８
【補正方法】変更
【補正の内容】
【００２８】
一方、可動ブラケット４と固定ブラケット３とを貫通するようにチルト・テレスコピック調整位置を固定する締付け機構が設けられる。図１のＡ−Ａ線に沿う切断面を示す、図５において、ステアリングコラム長手方向略中間域を緊締する、この締付け機構は一対の締付け板部９ａ、９ｂの縦方向長孔１０に通す軸杆部材を中心としてねじ締結手段によって構成される。軸杆部材１８は一端に頭部１８ａを有する。この軸杆部材１８は固定ブラケット３の締付け板部９ａの長孔１０、可動ブラケット４の一対の板部１６ａ、１６ｂの長孔１７および固定ブラケット３の締付け板部９ｂの長孔１０を貫通している。軸杆部材１８の頭部１８ａの締付け板部９ａと接する箇所は略長方形断面に形成され、長孔１０と係合し、回転不能に構成される。一方、締付け板部９ｂから突出した軸杆部材１８の先端のねじ部に締付けナット１９が螺合している。
【手続補正５】
【補正対象書類名】明細書
【補正対象項目名】００３１
【補正方法】変更
【補正の内容】
【００３１】
ステアリングコラム１の位置調整を完了し、その位置を固定する場合、レバー２０を逆方向に回転させる。このとき、レバー２０の回転に従って締付けナット１９が回転することによって締付け板部９ａ、９ｂ間の距離が縮小し、可動ブラケット４の板部１６ａ、１６ｂが締付けられることによってステアリングコラム１の位置が固定される。
【手続補正６】
【補正対象書類名】明細書
【補正対象項目名】００３２
【補正方法】変更
【補正の内容】
【００３２】
一方、テレスコピック調整操作中、ステアリングコラム軸方向に摺動するステアリングコラム１を支持するスライド支持機構が設けられる。図１のＢ−Ｂ線に沿う切断面を示す、図６において、このスライド支持機構は一対の締付け板部９ａ、９ｂの透孔１１にそれぞれ通す軸杆部材を中心として構成される。２つのスライド支持機構は同一の構成からなり、代表して一方のスライド支持機構について説明する。頭部２３ａを有する軸杆部材２３は固定ブラケット３の締付け板部９ａの透孔１１および可動ブラケット４の板部１６ａの長孔１７を貫通している。軸杆部材２３の頭部２３ａと板部１６ａとの間には樹脂製のスペーサ２４と皿ばね２５とが介装される。ちなみに、チルト調整操作で揺動角度を変えるときにはこの軸杆部材２３が揺動中心となるチルトピボットとして機能する。
【手続補正７】
【補正対象書類名】明細書
【補正対象項目名】００３３
【補正方法】変更
【補正の内容】
【００３３】
このスライド支持機構は次の手順で組立てる。軸杆部材２３にスペーサ２４と皿ばね２５と装着し、頭部２３ａを内側に向けて軸杆部材２３を板部１６ａの長孔１７に通し、続けて締付け板部９ａの透孔１１に通す。軸杆部材２３をそのままの状態を保ちながら、締付け板部９ａから外側に突出した軸杆部材２３の先端にポンチを当て、その部分を外側に押し広げるようにかしめ、締付け板部９ａに軸杆部材２３を固定する。
【手続補正８】
【補正対象書類名】明細書
【補正対象項目名】００４１
【補正方法】変更
【補正の内容】
【００４１】
可動ブラケット４は、先に、図４（ａ）（ｂ）で述べたように、ステアリングコラム１に取付けられるコラム取付け板部１５および左右一対の板部１６ａ、１６ｂを備え、この一対の板部１６ａ、１６ｂにはそれぞれの軸杆部材を通すための長孔１７が開口している。この長孔１７は単一空間として形成したもので、ステアリングコラム軸心と平行な１つの軸ＡB（図８参照）上に沿って開口している。長孔１７はアッパおよびロア側締付け部のそれぞれのテレスコピックストロークを与えるのに十分な長さを有する。
【手続補正９】
【補正対象書類名】明細書
【補正対象項目名】００４２
【補正方法】変更
【補正の内容】
【００４２】
一方、可動ブラケット４と固定ブラケット３とを貫通するようにチルト・テレスコピック調整位置を固定する、２つの締付け機構が設けられる。図８のＣ−Ｃ線に沿う切断面を示す、図９において、ステアリングコラム長手方向略中間域を緊締するアッパ側締付け機構は締付け板部９ａ、９ｂの縦方向長孔１０に通す軸杆部材を中心としてねじ締結手段によって構成される。軸杆部材１８は一端に頭部１８ａを有する。この軸杆部材１８は固定ブラケット３の締付け板部９ａの長孔１０、可動ブラケット４の一対の板部１６ａ、１６ｂの長孔１７および固定ブラケット３の締付け板部９ｂの長孔１０を貫通している。軸杆部材１８の頭部１８ａの締付け板部９ａと接する箇所は略長方形断面に形成され、長孔１０と係合し、回転不能に構成される。一方、締付け板部９ｂから突出した軸杆部材１８の先端のねじ部に締付けナット１９が螺合している。
【手続補正１０】
【補正対象書類名】明細書
【補正対象項目名】００４３
【補正方法】変更
【補正の内容】
【００４３】
また、図８のＤ−Ｄ線に沿う切断面を示す、図１０において、ステアリングコラム下端域を緊締するロア側締付け機構は締付け板部９ａ、９ｂの透孔１１に通す軸杆部材を中心としてねじ締結手段によって構成される。軸杆部材３０は一端に頭部３０ａを有する。この軸杆部材３０は固定ブラケット３の締付け板部９ａの透孔１１、可動ブラケット４の一対の板部１６ａ、１６ｂの長孔１７および固定ブラケット３の締付け板部９ｂの透孔１１を貫通している。締付け板部９ｂから突出した軸杆部材３０の先端のねじ部に締付けナット３１が螺合している。
【手続補正１１】
【補正対象書類名】明細書
【補正対象項目名】００４８
【補正方法】変更
【補正の内容】
【００４８】
ステアリングコラム１の位置調整を完了し、その位置を固定する場合、レバー２０を逆方向に回転させる。このとき、レバー２０の回転に従ってアッパ側締付け機構の締付けナット１９とロア側締付け機構の締付けナット３１とが共に回転することによって締付け板部９ａ、９ｂ間の距離が縮小し、可動ブラケット４の板部１６ａ、１６ｂが締付けられることによってステアリングコラム１の位置が固定される。
【手続補正１２】
【補正対象書類名】明細書
【補正対象項目名】００４９
【補正方法】変更
【補正の内容】
【００４９】
この２つの締付け機構は連動機構と共に次の手順で組立てる。アッパ側軸杆部材１８を締付け板部９ａの長孔１０、板部１６ａ、１６ｂの長孔１７および締付け板部９ｂの長孔１０に通す。また、ロア側軸杆部材３０を締付け板部９ａの透孔１１、板部１６ａ、１６ｂの長孔１７および締付け板部９ｂの透孔１１に通す。軸杆部材１８の頭部１８ａを長孔１０に嵌め込み、位置を固定する。締付け板部９ｂ側に突出している軸杆部材１８のねじ部に締付けナット１９を螺合し、同様に、締付け板部９ｂ側に突出している軸杆部材３１のねじ部に締付けナット３１を螺合し、それぞれ締付けナット１９、３１を締付けることによって締付け板部９ａ、９ｂの間隔を縮小し、可動ブラケット４を締付け板部９ａ、９ｂの間に固定するために決められたトルクを満たすように締付ける。
【手続補正１３】
【補正対象書類名】明細書
【補正対象項目名】図面の簡単な説明
【補正方法】変更
【補正の内容】
【図面の簡単な説明】
【図１】
本発明による位置調整式ステアリングコラム装置の一実施の形態を示す側面図である。
【図２】
図１に示される固定ブラケットを示すもので、（ａ）は固定ブラケットの側面図、（ｂ）は固定ブラケットの正面図である。
【図３】
本発明の一実施の形態に係る固定ブラケット離脱機構の側面図である。
【図４】
図１に示される可動ブラケットを示すもので、（ａ）は可動ブラケットの側面図、（ｂ）は可動ブラケットの正面図である。
【図５】
図１のＡ−Ａ線に沿う切断面を示す断面図である。
【図６】
図１のＢ−Ｂ線に沿う切断面を示す断面図である。
【図７】
本発明の他の実施の形態に係る固定ブラケットを示すもので、（ａ）は固定ブラケットの側面図、（ｂ）は固定ブラケットの正面図である。
【図８】
本発明による位置調整式ステアリングコラム装置の他の実施の形態を示す側面図である。
【図９】
図８のＣ−Ｃ線に沿う切断面を示す断面図である。
【図１０】
図８のＤ−Ｄ線に沿う切断面を示す断面図である。
【図１１】
従来技術による固定ブラケットの一例を示す斜視図である。
【図１２】
従来技術による可動ブラケットの一例を示す斜視図である。
【符号の説明】
１…  ステアリングコラム
２…  ステアリングシャフト
３…  固定ブラケット
４…  可動ブラケット
９ａ、９ｂ…  締付け板部
１０…  縦方向長孔
１１…  透孔
１６ａ、１６ｂ…  板部
１７…  長孔
１８、２３、３０…  軸杆部材
１９、３１…  締付けナット
２０…  レバー
２２、３３…  ロックナット
２６、２７…  アーム部材
２８…  リンク部材